(57)【要約】【課題】高齢者や難聴者など、聴力の弱っている人が安心して操作でき、かつ、聴力の弱っていない人にとっても使い勝手が良い給湯機のリモコンを提供する。【解決手段】音声出力手段２と、操作用のスイッチ群５と、給湯機９の動作状態などを表示する表示部７を備え、音声案内の音量を設定するモードにおいて、特殊な操作をしたときに、通常設定できる最も大きい音量よりも更に大きい音量を設定することができる音声案内音量設定手段１０を備えたもので、通常は、予め設定された音量以上には上がらないので音声案内の音量が大きすぎてわずらわしくなることもなく、使い勝手を良くすると共に、高齢者や難聴者などより大きい音で音声案内して欲しい人にとっては、特殊な操作をするだけで、音声案内の音量を通常より更に大きくすることができるので、安心して使える給湯機のリモコンを提供することができる。【選択図】図１
2009115406.tif 000002
【特許請求の範囲】
【請求項１】
音声出力手段と、操作用の複数のスイッチと、給湯機の動作状態などを表示する表示部を備え、音声案内の音量を設定するモードにおいて、特殊な操作をしたときに、通常設定できる最も大きい音量よりも更に大きい音量を設定することができる音声案内音量設定手段を備えた給湯機のリモコン。
【請求項２】
音声案内音量設定手段は、スイッチの連続押しを受け付けたときに通常設定できる最も大きい音量よりも更に大きい音量を設定することができる構成とした請求項１に記載の給湯機のリモコン。
【請求項３】
音声案内音量設定手段は、２つ以上の複数のスイッチの同時押しを受け付けたときに通常設定できる最も大きい音量よりも更に大きい音量を設定することができる構成とした請求項１に記載の給湯機のリモコン。
【請求項４】
音声案内音量設定手段で通常設定できる最も大きい音量よりも更に大きい音量を設定したときに、音声案内の話速も遅くするようにした請求項１〜３のいずれか１項に記載の給湯機のリモコン。
【発明の詳細な説明】
【技術分野】
【０００１】
本発明は、音声出力手段と複数のスイッチを備え、リモコン操作や給湯機の状態変化に対して音声案内を行うことができる給湯機のリモコンに関するものである。
【背景技術】
【０００２】
近年、この種の給湯機のリモコンは、より使いやすく、また、誰でも簡単に操作できるように音声案内機能付きのものが普及してきた（例えば、特許文献１参照）。
【特許文献１】特開２０００−１４６２８６号公報
【発明の開示】
【発明が解決しようとする課題】
【０００３】
しかしながら、前記従来の給湯機のリモコンでは、音声案内手段は有するものの、その音声案内音量は、予めメーカが設定した２種類（音量「大」と音量「小」）あるいは３種類（音量「大」と音量「中」、音量「小」）の設定値の中から一つを選ぶしか無かった。
【０００４】
例えば、スイッチ操作が思い通りにできたかどうかに対しては、給湯機のリモコンに設けた表示部（液晶や蛍光表示管、ＬＥＤなど）での表示と、音声案内で確認できるが、視覚障害者にとっては、表示部での表示は役に立たず、もっぱらスイッチの場所を触覚で確認すると共に、音声案内により操作が間違いなく出来たかどうかを確認するしかなく、より聞き取りやすくするためには音声案内の報知音量が重要である。
【０００５】
また、高齢者や難聴者にとっては、予め設定された最も大きい音量でも聞き取りにくく、不便さを感じていた。
【０００６】
ただ、通常の音量設定としてより大きい音量を設定できるようにすると、安易に設定してしまったときに、音声案内の音量が大きすぎてわずらわしいと感じる人も出てくるという課題を有していた。
【０００７】
本発明は、前記従来の課題を解決するもので、高齢者や難聴者など、聴力の弱っている人は勿論、一般の人も安心して操作できる給湯機のリモコンを提供することを目的とする。
【課題を解決するための手段】
【０００８】
前記従来の課題を解決するために、本発明の給湯機のリモコンは、音声出力手段と、操作用の複数のスイッチと、給湯機の動作状態などを表示する表示部を備え、音声案内の音量を設定するモードにおいて、特殊な操作をしたときに、通常設定できる最も大きい音量よりも更に大きい音量を設定することができる音声案内音量設定手段を備えたもので、通常は、予め設定された音量以上には上がらないので音声案内の音量が大きすぎてわずらわしくなることもなく、使い勝手を良くすると共に、高齢者や難聴者などより大きい音で音声案内して欲しい人にとっては、特殊な操作をするだけで、音声案内の音量を通常より更に大きくすることができるので、安心して使える給湯機のリモコンを提供することができる。
【発明の効果】
【０００９】
本発明の給湯機のリモコンは、高齢者や難聴者など聴力の弱っている人は勿論、一般の人も安心して使用できる、使用勝手の良いものである。
【発明を実施するための最良の形態】
【００１０】
第１の発明は、音声出力手段と、操作用の複数のスイッチと、給湯機の動作状態などを表示する表示部を備え、音声案内の音量を設定するモードにおいて、特殊な操作をしたときに、通常設定できる最も大きい音量よりも更に大きい音量を設定することができる音声案内音量設定手段を備えたもので、通常は、予め設定された音量以上には上がらないので音声案内の音量が大きすぎてわずらわしくなることもなく、使い勝手を良くすると共に、高齢者や難聴者などより大きい音で音声案内して欲しい人にとっては、特殊な操作をするだけで、音声案内の音量を通常より更に大きくすることができるので、安心して使える給湯機のリモコンを提供することができる。
【００１１】
第２の発明は、特に、第１の発明の音声案内音量設定手段は、スイッチの連続押しを受け付けたときに通常設定できる最も大きい音量よりも更に大きい音量を設定することができるもので、通常は予め設定された音量以上には上がらないので音声案内の音量が大きすぎてわずらわしくなることもなく、使い勝手を良くすると共に、高齢者や難聴者など通常より大きい音で音声案内して欲しい人にとっては、音声案内の音量を通常より大きくすることができるので、安心して使える給湯機のリモコンを提供することができる。
【００１２】
第３の発明は、特に、第１の発明の音声案内音量設定手段は、２つ以上の複数のスイッチの同時押しを受け付けたときに通常設定できる最も大きい音量よりも更に大きい音量を設定することができるもので、通常は予め設定された音量以上には上がらないので音声案内の音量が大きすぎてわずらわしくなることもなく、使い勝手を良くすると共に、高齢者や難聴者など通常より大きい音で音声案内して欲しい人にとっては、音声案内の音量を通常より大きくすることができるので、安心して使える給湯機のリモコンを提供することができる。
【００１３】
第４の発明は、特に、第１〜３のいずれか１つの発明の音声案内音量設定手段で通常設定できる最も大きい音量よりも更に大きい音量を設定したときに、音声案内の話速も遅くするようにしたもので、通常は予め設定された音量以上には上がらないので音声案内の音量が大きすぎてわずらわしくなることもなく、使い勝手を良くすると共に、高齢者や難聴者などにとっては、音声案内の音量を通常より大きくすると共にしゃべるスピードも遅くなるので、より聞き取りやすくなり、安心して使える給湯機のリモコンを提供することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における給湯機のリモコンのブロック図、図２は、同給湯機のリモコンの外観図である。
【００１６】
図１において、本実施の形態における給湯機のリモコン１（以下「リモコン１」という）は、音声出力手段２と、音声出力手段２内のスピーカ３と、音声出力手段２内の音声出力回路４と、ユーザが操作するスイッチ群５と、スイッチ群５の入力を検出するスイッチ入力回路６と、給湯温度や給湯機９の状態などを表示する表示部７と、給湯機９とのデータ通信を行う通信回路８と、音声案内音量設定手段１０と、リモコン１のさまざまな制御をするマイクロコンピューター１１を備えている。
【００１７】
図２において、リモコン１の外郭を形成するケース１２には、メニュースイッチ５ａ、アップスイッチ５ｃ、ダウンスイッチ５ｂ、確定スイッチ５ｄ、ふろ自動スイッチ５ｅなど複数のスイッチからなるスイッチ群５と、スイッチ操作や給湯機９の状態を表示するた
めの表示部７と、音声出力手段２とが配設されている。図２の表示部７は、音声案内音量設定モードになっているときの表示状態を表している。
【００１８】
以上のように構成された給湯機のリモコンについて、図１、図２を用いてその動作、作用を説明する。
【００１９】
まず、通常は、音声案内の音量を設定するモードになると、リモコン１の表示部７は、図２に示すように音量を設定する画面になる。ユーザーは、スイッチ群５のアップスイッチ５ｃまたはダウンスイッチ５ｂを押すことで、音量「大」と音量「中」、音量「小」の予め設定されている３種類の音量の中から一つを選択することができる。
【００２０】
例えば、音量「大」は、７０ｄＢ（Ａ）、音量「中」は、６０ｄＢ（Ａ）、音量「小」は、５０ｄＢ（Ａ）と設定されており、ユーザーは、自分の聞き取りやすい音量を選択すると、音声案内音量設定手段１０はその音量になるように音声案内信号の振幅を増幅することになる。つまり、ユーザーがリモコン１を操作したときや、給湯機９の状態が変化したとき、音声案内によって報知する必要があるときに、音声案内音量設定手段１０は、設定された音量になるように音声信号増幅を行って、音声出力手段２へ信号を伝え、スピーカ３から音声案内が報知されるものである。
【００２１】
ここで、音声案内の音量を設定するモードにおいて、ユーザーは、スイッチ群５のアップスイッチ５ｃを押して、音量「大」を選択した状態で、スイッチ群５のアップスイッチ５ｃを１０秒間連続押ししたときだけ、音声案内音量設定手段１０は、通常設定できる最も大きい音量「大」よりも大きい音量「特大」を設定することができる。例えば、音量「特大」は、７５ｄＢ（Ａ）と設定されており、特殊な操作によりこの設定を選んだユーザーは、音声案内音量設定手段１０がその音量になるように音声案内信号の振幅を増幅することになる。
【００２２】
つまり、ユーザーがリモコン１を操作したときや、給湯機９の状態が変化したとき、音声案内音量設定手段１０は、通常設定できる最も大きい音量よりも更に大きい音量になるように音声信号の振幅増幅を設定するので、より大きい音量での音声案内を必要とする高齢者や難聴者が安心して使えるようにできる。
【００２３】
以上のように、音声案内音量設定手段１０は特殊な操作をしたときに通常設定できる最も大きい音量よりも更に大きい音量を設定することができるので、通常の設定では、音量が予め設定された音量以上には上がらないので音声案内の音量が大きすぎてわずらわしくなることもなく、使い勝手を良くすると共に、高齢者や難聴者など、より大きい音で音声案内して欲しい人にとっては、音声案内の音量を通常より更に大きくすることができるので安心して使えるリモコン１になっている。
【００２４】
なお、上記実施の形態では、音量「特大」を選択する特殊な設定方法としてアップスイッチ５ｃを連続押しするようにしたが、スイッチ群５の複数のスイッチ、例えば、アップスイッチ５ｃとダウンスイッチ５ｂの同時押しで受け付ける方法としても、同様の効果が得られる。
【００２５】
また、特殊な設定方法で、音量「特大」を選択したときに、音声出力手段２の音声出力回路４が音声案内の話速を遅くする構成にすれば、音量を大きくすると共に、しゃべるスピードもゆっくりにすることができるので、より聞き取りやすくなり、高齢者や難聴者に対しても、安心して使える給湯機のリモコンを提供することができる。
【産業上の利用可能性】
【００２６】
以上のように、本発明にかかる給湯機のリモコンは、音声案内の音量を特殊操作によって更に大きい音量を選択できるので、音声案内機能を搭載した一般家庭電化製品等の用途にも広く適用できる。
【図面の簡単な説明】
【００２７】
【図１】本発明の実施の形態１における給湯機リモコンのブロック図
【図２】同給湯機リモコンの外観図
【符号の説明】
【００２８】
２  音声出力手段
５  スイッチ群
５ａ  メニュースイッチ（スイッチ）
５ｂ  ダウンスイッチ（スイッチ）
５ｃ  アップスイッチ（スイッチ）
５ｄ  確定スイッチ（スイッチ）
５ｅ  ふろ自動スイッチ
７  表示部
１０  音声案内音量設定手段
【図１】
2009115406.tif 000003
【図２】
2009115406.tif 000004